(57)【特許請求の範囲】
【請求項１】
観察角度を変えることにより文字や図形が確認できる偽造防止印刷物において、
被印刷体上に前記被印刷体の表面色と異なる有色インキで各種万線をオフセット印刷した上に、透明凹版インキで各種万線を基本万線とし、前記基本万線を特定の文字や図形に対応して、二次元的にずらして得られる各種万線レリーフ画像を前記オフセット印刷した各種万線と平行に重なり合うように凹版印刷してなる偽造防止印刷物で、
前記印刷物を垂直方向から観察すると前記オフセット印刷した各種万線が確認でき、前記印刷物を傾けて観察すると前記各種万線レリーフ画像が確認できることを特徴とする偽造防止印刷物。
【請求項２】
観察角度を変えることにより文字や図形が確認できる偽造防止印刷物において、
被印刷体上に透明凹版インキで各種万線を基本万線とし、前記基本万線を特定の文字や図形に対応して、二次元的にずらして得られる各種万線レリーフ画像を凹版印刷した上に、前記被印刷体の表面色と異なる有色インキで各種万線を前記各種万線レリーフ画像と平行に重なり合うようにオフセット印刷してなる偽造防止印刷物で、
前記印刷物を垂直方向から観察すると前記オフセット印刷した各種万線が確認でき、前記印刷物を傾けて観察すると前記各種万線レリーフ画像が確認できることを特徴とする偽造防止印刷物。
【請求項３】
観察角度を変えることにより文字や図形が確認できる偽造防止印刷物において、
被印刷体上に前記被印刷体の表面色と異なる有色インキで同心円画像をオフセット印刷した上に、透明凹版インキで同心円画像を基本とし、前記同心円画像を特定の文字や図形に対応して、二次元的にずらして得られる同心円レリーフ画像を前記オフセット印刷した同心円画像と中心が重なり合うように凹版印刷してなる偽造防止印刷物で、
前記印刷物を垂直方向から観察すると前記オフセット印刷した同心円画像が確認でき、前記印刷物を傾けて観察すると前記同心円レリーフ画像が確認できることを特徴とする偽造防止印刷物。
【請求項４】
観察角度を変えることにより文字や図形が確認できる偽造防止印刷物において、
被印刷体上に透明凹版インキで同心円画像を基本とし、前記同心円画像を特定の文字や図形に対応して、二次元的にずらして得られる同心円レリーフ画像を凹版印刷した上に、前記被印刷体の表面色と異なる有色インキで同心円画像を前記同心円レリーフ画像と中心が重なり合うようにオフセット印刷してなる偽造防止印刷物で、
前記印刷物を垂直方向から観察すると前記オフセット印刷した同心円画像が確認でき、前記印刷物を傾けて観察すると前記同心円レリーフ画像が確認できることを特徴とする偽造防止印刷物。
【発明の詳細な説明】
【０００１】
【発明の属する技術分野】
本発明は偽造、変造防止を必要とする印刷物において、印刷物を傾けて観察、つまり該印刷物の印刷面すなわち印刷画像に対して観察角度（印刷面と視線とのなす角度）を変化させて観察したとき、特定の文字や図形が観察角度によるコントラストの変化と共に確認できる偽造防止印刷物及びその作製方法に関するものである。
【０００２】
【従来の技術】
銀行券、株券、債券等の有価証券、パスポート、各種証明書及び重要書類等の印刷物において偽造、変造防止策は重要な要素である。これら印刷物の偽造、変造防止策としては印刷物に対し何らかの手段と作用を加えると、目視では認識できなかった画像を現出するような方法として、▲１▼印刷基材上に縦横の画線で構成される画像を凹版印刷することで印刷面を真上から観察した場合には確認できない潜像が印刷面を角度を変えて観察すると潜像が顕像化される方法（特公昭56-19273号公報）がある。
【０００３】
また、▲２▼各種万線模様又はレリーフ模様、及びそれら双方の模様のいずれかの凹凸形状を有する素材と、前記素材の色及び無色透明以外の異なった他の色による一定な間隔を持つ各種万線画線又は網点画線、及びそれら双方のいずれかとを組み合わせることによって、ある特定の方向から観察するときにのみ、特定の文字、図柄などが認識できるようにした潜像模様形成体とその作製方法（特開平5-339900号公報）がある。
【０００４】
また、▲３▼印刷素材と同色又は近似した色の各種万線模様又はレリーフ模様、及びそれら双方の模様のいずれかの隆起した画線と、隆起した画線の色と異なった他の有色の一定な間隔を持つ各種万線画線又は網点画線、及びそれら双方の画線のいずれかとを組み合わせることによって、ある特定の方向から観察する時にのみ、特定の文字、図柄などが認識できるようにした潜像印刷物とその印刷方法（特登録2600094号公報）がある。
【０００５】
さらに、▲４▼有色である万線画像のオフセット印刷と無色透明である万線画像の凹版印刷を角度を変えて重ね刷りすることである特定の角度からみたときにのみモアレが認識できる印刷物（特公平7-64113号公報）がある。
【０００６】
しかし、前述した▲１▼の方法では、印刷面を真上から見たとき印刷画像を構成している縦横の画線構成により潜像とするデザインが確認されやすく、このためデザイン上何らかのカモフラージュを必要とする。
【０００７】
次に▲２▼▲３▼の方法では、透明凹版インキを使った特有のコントラストに変化のある効果を生み出すものではない。また、印刷物の構造上各種万線画線又は網点画線は必ず凹凸の上に印刷されていなければその効果を発揮するものではない。
【０００８】
さらに▲４▼の方法では、オフセット印刷の万線画像と凹版印刷の万線画像とを角度をつけて重ね刷りを行いモアレを現出させるものであり、特定の文字や図形を現出させることは困難である。
【０００９】
【発明が解決しようとする課題】
本発明は上述の点に鑑みなされたもので、偽造、変造防止を必要とする銀行券、株券、債券などの有価証券等をはじめ、パスポート、各種証明書及び重要書類等の製造において用いることができ、真上からの目視では確認できなかった画像が傾けると現出する印刷物で、有色インキによるオフセット印刷画像と透明凹版インキによる凹版印刷画像とを刷り順を問うことなく刷り重ねることで、前記印刷物を傾けて観察、すなわち印刷画像に対し観察角度を変化させて観察することで、従来の偽造防止印刷物では得られなかった、コントラストの変化を伴う特定の文字や図形を確認できる偽造、変造防止効果を有する偽造防止印刷物及びその作製方法の提供を目的としたものである。
【００１０】
【課題を解決するための手段】
本発明の第１の発明は、観察角度を変えることにより文字や図形が確認できる偽造防止印刷物において、被印刷体上に前記被印刷体の表面色と異なる有色インキで各種万線をオフセット印刷した上に、透明凹版インキで各種万線レリーフ画像（各種万線を基本万線とし、前記基本万線を特定の文字や図形に対応して、二次元的にずらして得られる各種万線レリーフ画像）を前記各種万線と平行に、すなわち前記各種万線の流れと、前記各種レリーフ画像の基本万線の流れが平行に、且つ重なり合うように凹版印刷してなる偽造防止印刷物であり、前記印刷物を垂直方向から観察すると前記オフセット印刷した各種万線が確認でき、前記印刷物を傾けて観察すると前記各種万線レリーフ画像が確認できることを特徴とする偽造防止印刷物である。
【００１２】
本発明の第２の発明は、観察角度を変えることにより文字や図形が確認できる偽造防止印刷物において、被印刷体上に透明凹版インキで各種万線レリーフ画像を凹版印刷した上に、前記被印刷体の表面色と異なる有色インキで各種万線を前記各種万線レリーフ画像と平行に、すなわち前記各種万線の流れと、前記各種レリーフ画像の基本万線の流れが平行に、且つ重なり合うようにオフセット印刷してなる偽造防止印刷物であり、前記印刷物を垂直方向から観察すると前記オフセット印刷した各種万線が確認でき、前記印刷物を傾けて観察すると前記各種万線レリーフ画像が確認できることを特徴とする偽造防止印刷物である。
【００１４】
本発明の第３の発明は、観察角度を変えることにより文字や図形が確認できる偽造防止印刷物において、被印刷体上に前記被印刷体の表面色と異なる有色インキで同心円画像をオフセット印刷した上に、透明凹版インキで同心円レリーフ画像（同心円画像を基本とし、前記同心円画像を特定の文字や図形等に対応して、２次元的にずらして得られる画像）を前記同心円画像と中心が重なり合うように凹版印刷してなる偽造防止印刷物であり、前記印刷物を垂直方向から観察すると前記オフセット印刷した同心円画像が確認でき、前記印刷物を傾けて観察すると前記同心円レリーフ画像が確認できることを特徴とする偽造防止印刷物である。
【００１６】
本発明の第４の発明は、観察角度を変えることにより文字や図形が確認できる偽造防止印刷物において、被印刷体上に透明凹版インキで前記同心円レリーフ画像を凹版印刷した上に、前記被印刷体の表面色と異なる有色インキで前記同心円画像を前記同心円レリーフ画像と中心が重なり合うようにオフセット印刷してなる偽造防止印刷物であり、前記印刷物を垂直方向から観察すると前記オフセット印刷した同心円画像が確認でき、前記印刷物を傾けて観察すると前記同心円レリーフ画像が確認できることを特徴とする偽造防止印刷物である。
【００１８】
【発明の実施の形態】
図面によって本発明による偽造防止印刷物及びその作製方法の一例を説明すると、図１において被印刷体上に前記被印刷体の表面色と異なる有色インキで各種万線（ａ）がオフセット印刷され、その上に透明凹版インキで基本となる万線に特定の文字や図形を２次元に付与した各種万線レリーフ画像（ｂ）を前記各種万線（ａ）と平行に、すなわち前記各種万線の流れと、前記各種レリーフ画像の基本万線の流れが平行に、且つ重なり合うように凹版印刷してなる印刷物１（ｅ１）である。したがって前記印刷物１（ｅ１）の構造上、凹版印刷された前記各種万線レリーフ画像（ｂ）の文字や図形部分（１）と背景部分（２）とではオフセット印刷された前記各種万線（ａ）との位置関係が常に異なる。
【００１９】
前記印刷物及びその作製方法により得られる印刷物１（ｅ１）をその印刷面すなわち印刷画像に対し垂直方向から観察すると、前記透明凹版インキで印刷された前記各種万線レリーフ画像（ｂ）自体は確認しにくく、且つ凹版インキの重なっていないオフセット印刷された前記各種万線（ａ）部分はそのまま確認でき、凹版インキが重なっているオフセット印刷された前記各種万線（ａ）部分も凹版インキが透明であるため確認することができる。したがって、オフセット印刷された前記各種万線（ａ）を確認することができる。
【００２０】
前記印刷物１（ｅ１）を、その印刷画像を構成している画線に対し略直交する方向から観察角度を変化させて観察すると、前記透明凹版インキで凹版印刷された前記各種万線レリーフ画像は透明で隆起しているため光の反射及び屈折率が影響し、被印刷体表面及びオフセット印刷された前記各種万線（ａ）の見え方が変わる。このとき凹版印刷された前記各種万線レリーフ画像（ｂ）の文字や図形部分（１）と背景部分（２）ではオフセット印刷された前記各種万線（ａ）との位置関係が異なるため、文字や図形部分（１）と背景部分（２）とでもコントラストに差が生じることになり、したがって特定の文字や図形を観察角度によるコントラストの変化と共に確認することができる。
【００２１】
また、図面によって本発明による偽造防止印刷物及びその作製方法の一例を説明すると、図２において被印刷体上に透明凹版インキで基本となる万線に特定の文字や図形を２次元に付与した各種万線レリーフ画像（ｂ）を凹版印刷し、その上に前記被印刷体の表面色と異なる有色インキで各種万線（ａ）を前記各種万線レリーフ画像（ｂ）と平行に、すなわち前記各種万線の流れと、前記各種レリーフ画像の基本万線の流れが平行に、且つ重なり合うようにオフセット印刷してなる印刷物２（ｅ２）である。したがって前記印刷物２（ｅ２）の構造上、凹版印刷された前記各種万線レリーフ画像（ｂ）の文字や図形部分（１）と背景部分（２）とではオフセット印刷された前記各種万線（ａ）との位置関係が常に異なる。
【００２２】
前記印刷物及びその作製方法により得られる前記印刷物２（ｅ２）を印刷画像に対して垂直方向から観察すると、前記透明凹版インキで印刷された前記各種万線レリーフ画像（ｂ）自体は確認しにくく、且つ用紙上及び凹版印刷された前記万線レリーフ画像の上に位置するオフセット印刷された前記万線画像（ａ）自体を確認することができる。
【００２３】
前記印刷物２（ｅ２）を、その印刷画像を構成している画線に対し略直交する方向から観察角度を変化させて観察すると、前記透明凹版インキで凹版印刷された前記各種万線レリーフ画像は透明で隆起しているため光の反射及び屈折率が影響し、前記被印刷体の表面及びオフセット印刷された前記各種万線（ａ）の見え方が変わる。このとき凹版印刷された前記各種万線レリーフ画像（ｂ）の文字や図形部分（１）と背景部分（２）ではオフセット印刷された前記各種万線（ａ）との位置関係が異なるため、文字や図形部分（１）と背景部分（２）とでもコントラストに差が生じることになり、したがって特定の文字や図形を観察角度によるコントラストの変化と共に確認することができる。
【００２４】
さらに本発明による偽造防止印刷物及びその作製方法に用いる画像は、前述のような各種万線（ａ）及び各種万線レリーフ画像（ｂ）だけではなく、同心円画像（ｃ）をオフセット印刷画像に用い、基本となる同心円画像に特定の文字や図形等の情報を２次元に付与した同心円レリーフ画像（ｄ）を透明凹版インキを用いた凹版印刷画像として用いることができる。
【００２５】
図３において被印刷体上に前記被印刷体の表面色と異なる有色インキで前記同心円画像（ｃ）をオフセット印刷した上に前記透明凹版インキで前記同心円レリーフ画像（ｄ）を前記同心円画像（ｃ）と中心が重なり合うように凹版印刷してなる印刷物３（ｅ３）、及び図４において前記被印刷体上に前記透明凹版インキで前記同心円レリーフ画像（ｄ）を凹版印刷した上に前記被印刷体の表面色と異なる有色インキで前記同心円画像（ｃ）を前記同心円レリーフ画像（ｄ）と中心が重なり合うようにオフセット印刷してなる印刷物４（ｅ４）について、前記印刷物３（ｅ３）又は前記印刷物４（ｅ４）の印刷面すなわち印刷画像に対して垂直方向から観察すると、オフセット印刷された前記同心円画像（ｃ）が確認できる。
【００２６】
前記印刷物３（ｅ３）又は前記印刷物４（ｅ４）の印刷画像を構成している画線の接線に対し略直交する方向から観察角度を変化させて観察すると、前記透明凹版インキで凹版印刷された前記同心円レリーフ画像は透明で隆起しているため光の反射及び屈折率が影響し、前記被印刷体の表面及びオフセット印刷された前記同心円画像（ｃ）の見え方が変わる。このとき凹版印刷された前記同心円レリーフ画像（ｄ）の文字や図形部分（１）と背景部分（２）ではオフセット印刷された前記同心円画像（ｃ）との位置関係が異なるため、文字や図形部分（１）と背景部分（２）とでもコントラストに差が生じることになり、したがって特定の文字や図形を観察角度によるコントラストの変化と共に確認することができる。
【００２７】
さらに前記印刷物３（ｅ３）及び前記印刷物４（ｅ４）では、同心円形の線画像を用いているために円周方向のあらゆる方向から観察角度を変化させて観察することができ、特定の文字や図形を観察角度によるコントラストの変化と共に確認することができる。
【００２８】
【実施例】
本発明の実施例を図に基づいて以下に説明する。
（実施例１）
図１において、被印刷体である用紙上に前記用紙の表面色と異なる有色インキで各種万線（ａ）をオフセット印刷し、その上に透明凹版インキで基本となる万線に「Ｐ」の情報を２次元に付与した各種万線レリーフ画像（ｂ）をオフセット印刷された前記各種万線（ａ）と平行に、すなわち前記各種万線の流れと、前記各種レリーフ画像の基本万線の流れが平行に、且つ重なり合うように凹版印刷する。得られた印刷物１（ｅ１）は構造上、凹版印刷された前記各種万線レリーフ画像（ｂ）の「Ｐ」の文字や図形部分（１）と背景部分（２）とではオフセット印刷された前記各種万線（ａ）との位置関係が常に異なる。
【００２９】
前記印刷物１（ｅ１）を印刷画像に対して垂直方向から観察すると、前記各種万線レリーフ画像（ｂ）自体は前記透明凹版インキで凹版印刷されているため確認しにくく、且つ前記透明凹版インキが重なっていないオフセット印刷された前記各種万線（ａ）部分はそのまま確認でき、前記透明凹版インキが重なっているオフセット印刷された前記各種万線（ａ）部分も凹版印刷された前記万線レリーフ画像は透明なために確認することができ、したがってオフセット印刷された前記各種万線（ａ）を確認することができる。
【００３０】
前記印刷物１（ｅ１）を印刷画像を構成している画線に対し略直交する方向から観察角度を変化させて観察すると、前記透明凹版インキで凹版印刷された前記各種万線レリーフ画像は透明で隆起しているため光の反射及び屈折率が影響し、前記用紙の表面及びオフセット印刷印刷された前記各種万線（ａ）の見え方が変わる。このとき凹版印刷された前記各種万線レリーフ画像（ｂ）の「Ｐ」の文字や図形部分（１）と背景部分（２）とではオフセット印刷された前記各種万線（ａ）との位置関係が異なるため、「Ｐ」の文字や図形部分（１）と背景部分（２）とでもコントラストに差が生じることになり、したがって観察角度によるコントラストの変化と共に「Ｐ」を確認することができる。また、前記各種万線レリーフ画像（ｂ）は凹版印刷されているため、凹版インキの盛りによる指感性を有している。
【００３１】
（実施例２）
図２において、被印刷体である用紙上に透明凹版インキで基本となる万線に「Ｐ」の情報を２次元に付与した各種万線レリーフ画像（ｂ）を凹版印刷し、その上に前記用紙の表面色と異なる有色インキで各種万線（ａ）を凹版印刷された前記各種万線レリーフ画像（ｂ）と平行に、すなわち前記各種万線の流れと、前記各種レリーフ画像の基本万線の流れが平行に、且つ重なり合うようにオフセット印刷する。得られた印刷物２（ｅ２）は構造上、凹版印刷された前記各種万線レリーフ画像（ｂ）の「Ｐ」の文字や図形部分（１）と背景部分（２）とではオフセット印刷された前記各種万線（ａ）との位置関係が常に異なる。
【００３２】
前記印刷物２（ｅ２）を印刷画像に対して垂直方向から観察すると前記各種万線レリーフ画像（ｂ）自体は透明凹版インキで凹版印刷されているため確認しにくく、且つ前記用紙上及び凹版印刷された前記各種万線レリーフ画像の上に位置するオフセット印刷された前記各種万線（ａ）自体をそのまま確認することができる。
【００３３】
前記印刷物２（ｅ２）を印刷画像を構成している画線に対し略直交する方向から観察角度を変化させて観察すると、前記透明凹版インキで凹版印刷された前記各種万線レリーフ画像は透明で隆起しているため光の反射及び屈折率が影響し、前記用紙の表面及びオフセット印刷された前記各種万線（ａ）の見え方が変わる。このとき凹版印刷された前記各種万線レリーフ画像（ｂ）の「Ｐ」の文字や図形部分（１）と背景部分（２）とではオフセット印刷された前記各種万線（ａ）との位置関係が異なるため、「Ｐ」の文字や図形部分（１）と背景部分（２）とでもコントラストに差が生じることになり、したがって観察角度によるコントラストの変化と共に「Ｐ」を確認することができる。また、前記各種万線レリーフ画像（ｂ）は凹版印刷されているため、凹版インキの盛りによる指感性を有している。
【００３４】
（実施例３）
図３において、被印刷体である用紙上に前記用紙の表面色と異なる有色インキで同心円画像（ｃ）をオフセット印刷し、その上に透明凹版インキで基本となる同心円画像に「Ａ」の情報を２次元に付与した同心円レリーフ画像（ｄ）をオフセット印刷された前記同心円画像（ｃ）と中心が重なり合うように凹版印刷する。得られた印刷物３（ｅ３）は構造上、凹版印刷された前記同心円レリーフ画像（ｄ）の「Ａ」の文字や図形部分（１）と背景部分（２）とではオフセット印刷された前記同心円画像（ｃ）との位置関係が常に異なる。
【００３５】
前記印刷物３（ｅ３）を印刷画像に対して垂直方向から観察すると、凹版印刷された前記同心円レリーフ画像（ｄ）自体は前記透明凹版インキで凹版印刷されているため確認しにくく、且つ前記透明凹版インキが重なっていないオフセット印刷された前記同心円画像部分はそのまま確認でき、前記透明凹版インキが重なっているオフセット印刷された前記同心円画像（ｃ）部分も凹版印刷された前記同心円レリーフ画像（ｄ）が透明なために確認することができ、したがってオフセット印刷された前記同心円画像（ｃ）を確認することができる。
【００３６】
前記印刷物３（ｅ３）を印刷画像を構成している画線の接線に対し略直交する方向から観察角度を変化させて観察すると、前記透明凹版インキで凹版印刷された前記同心円レリーフ画像は透明で隆起しているため光の反射及び屈折率が影響し、前記用紙の表面及びオフセット印刷された前記同心円画像（ｃ）の見え方が変わる。このとき凹版印刷された前記同心円レリーフ画像（ｄ）の「Ａ」の文字や図形部分（１）と背景部分（２）ではオフセット印刷された前記同心円画像（ｃ）との位置関係が異なるため、前記「Ａ」の文字や図形部分（１）と背景部分（２）とでもコントラストに差が生じることになり、したがって観察角度によるコントラストの変化と共に「Ａ」を確認することができる。さらに前記印刷物３（ｅ３）では同心円形の線画像を用いているために円周方向のあらゆる方向から観察角度を変化させて観察することができ、観察角度によるコントラストの変化と共に「Ａ」を確認することができる。また、前記同心円レリーフ画像（ｄ）は凹版印刷されているため、凹版インキの盛りによる指感性を有している。
【００３７】
（実施例４）
図４において、被印刷体である用紙上に透明凹版インキで基本となる同心円画像に「Ａ」の情報２次元に付与した同心円レリーフ画像（ｄ）を凹版印刷し、その上に前記用紙の表面色と異なる有色インキで同心円画像（ｃ）を凹版印刷された前記同心円レリーフ画像と中心が重なり合うようにオフセット印刷する。得られた印刷物４（ｅ４）は構造上、凹版印刷された前記同心円レリーフ画像（ｄ）の「Ａ」の文字や図形部分（１）と背景部分（２）とではオフセット印刷された前記同心円画像（ｃ）との位置関係が常に異なる。
【００３８】
前記印刷物４（ｅ４）を印刷画像に対して垂直方向から観察すると、凹版印刷された前記同心円レリーフ画像（ｄ）自体は前記透明凹版インキで凹版印刷されているため確認しにくく、且つ前記用紙上及び凹版印刷された前記同心円レリーフ画像（ｄ）の上に位置するオフセット印刷された前記同心円画像（ｃ）自体を確認することができる。
【００３９】
前記印刷物４（ｅ４）を印刷画像を構成している画線の接線に対し略直交する方向から観察角度を変化させて観察すると、前記透明凹版インキで凹版印刷された前記同心円レリーフ画像は透明で隆起しているため光の反射及び屈折率が影響し、前記用紙の表面及びオフセット印刷された前記同心円画像（ｃ）の見え方が変わる。このとき凹版印刷された前記同心円レリーフ画像（ｄ）の「Ａ」の文字や図形部分（１）と背景部分（２）ではオフセット印刷された前記同心円画像（ｃ）との位置関係が異なるため、前記「Ａ」の文字や図形部分（１）と背景部分（２）とでもコントラストに差が生じることになり、したがって観察角度によるコントラストの変化と共に「Ａ」を確認することができる。さらに前記印刷物４（ｅ４）では同心円形の線画像を用いているために円周方向のあらゆる方向から観察角度を変化させて観察することができ、観察角度によるコントラストの変化と共に「Ａ」を確認することができる。また、前記同心円レリーフ画像（ｄ）は凹版印刷されているため、凹版インキの盛りによる指感性を有している。
【００４０】
本実施例において、被印刷体としては一般に用いられている用紙を使用したが本発明において被印刷体は用紙に限定されるものではなくフィルム、プラスチック等オフセット印刷及び凹版印刷可能であればよい。また確認できる文字や図形についても「Ｐ」あるいは「Ａ」に限定されるものではない。
【００４１】
【発明の効果】
以上説明したように本発明による偽造防止印刷物の作製方法により作製された印刷物は、被印刷体の表面色と異なる有色インキでのオフセット印刷による各種万線と、透明凹版インキでの凹版印刷による各種万線レリーフ画像とを刷り順を問うことなく平行に、且つ重なり合うように重ね刷りした偽造防止印刷物であり、また、前記被印刷体の表面色と異なる有色インキでのオフセット印刷による同心円画像と、前記透明凹版インキでの凹版印刷による同心円レリーフ画像とを刷り順を問うことなく中心が重なり合うように重ね刷りした偽造防止印刷物である。
【００４２】
前記印刷物を垂直方向から観察すると、前記各種万線又は前記同心円画像が確認でき、前記印刷物をオフセット印刷された前記各種万線を構成する画線に対し略直交、又は、オフセット印刷された同心円画像を構成する画線に対する接線方向に対し略直交する方向から観察角度を変化させて観察すると、前記透明凹版インキで凹版印刷された前記各種万線レリーフ画像又は前記同心円レリーフ画像は透明で隆起しているため光の反射及び屈折率が影響し、前記被印刷体表面及びオフセット印刷された前記各種万線又は前記同心円画像の見え方が変わる。このとき凹版印刷された前記各種万線レリーフ画像の文字や図形部分と背景部分とではオフセット印刷された各種万線との位置関係が異なるため、文字や図形部分と背景部分とでもコントラストの差が生じて見え、観察角度によるコントラストの変化を伴う特定の文字や図形を確認することができる。また、前記偽造防止印刷物は凹版印刷を用いているため、凹版インキの盛りによる独特の指感性を得ることもできる。
【００４３】
これらの効果は装置等何も用いることなく一般の人にも容易に確認することができ、カラーコピー機等による複写物では凹版印刷によるインキの盛りは再現されないため、観察角度の変化によるコントラストの変化を伴う文字や図形は確認されず、かつ凹版印刷による指感性もなくなる。したがって、本発明による偽造防止印刷を施すことによって印刷物が複写機等によって偽造変造されたものであるか否かを一般の人でも器具、装置を用いることなく容易に、かつ確実に真正物であるか複写物であるかの識別をすることができる。
【図面の簡単な説明】
【図１】印刷物１の画像構成を示した図である。
【図２】印刷物２の画像構成を示した図である。
【図３】印刷物３の画像構成を示した図である。
【図４】印刷物４の画像構成を示した図である。
【符号の説明】
１    凹版印刷画像の文字や図形部分
２    凹版印刷画像の背景部分
ａ    各種万線
ｂ    各種万線レリーフ画像
ｃ    同心円画像
ｄ    同心円レリーフ画像
ｅ１  印刷物１
ｅ２  印刷物２
ｅ３  印刷物３
ｅ４  印刷物４
【図１】
0003686953.tif 000002
【図２】
0003686953.tif 000003
【図３】
0003686953.tif 000004
【図４】
0003686953.tif 000005